(57)【要約】      （修正有）【課題】幅広い開閉構造体に適用可能な開き止めテープを提供する。【解決手段】開き止めテープ１０は、支持体１３と、この支持体１３の片面に形成された第１粘着剤層１５と、第１粘着剤層１５に剥離可能に重ねられた第１剥離シート１７と、支持体１３の他面に形成された第２粘着剤層１９と、第２粘着剤層１９に剥離可能に重ねられた第２剥離シート２１とからなる。切れ目１７Ａ，１７Ｂ，２１Ａ，２１Ｂによって、開き止めテープ１０の右端側に第１付着部１５Ａ、左端側に第２付着部１９Ａが露出するようにされている。第１付着部１５Ａを引き出し収納部３の内側面３Ａに付着する。次に、引き出し収納部３に引き出し７を入れた状態で、第２付着部１９Ａにより前面壁７Ａ（開閉部材）の表面に貼り付ける。【選択図】図５
2005315064.tif 000002
【特許請求の範囲】
【請求項１】
開口を有する開口部材に、前記開口を開閉する開閉部材が閉められた閉状態で、前記開口部材及び開閉部材間に掛け渡されて両端部が前記両部材に付着することにより前記開閉部材の前記開口部材に対する開きを防止する開き止めテープであって、
可撓性を有する帯状の支持体と、
前記支持体の一方の面の一端部付近に設けられた第１付着部と、
前記支持体の他方の面の他端部付近に設けられた第２付着部と、を備え、
前記開口の内側面に、前記第１付着部が付着し、かつ前記開閉部材の表面に、前記第２付着部が剥離可能に付着されることを特徴とする開き止めテープ。
【請求項２】
前記第１付着部は、前記開口の内側面に、前記開閉部材の変位方向にほぼ沿う姿勢で付着されることを特徴とする請求項１に記載の開き止めテープ。
【請求項３】
前記第１付着部の前記開口部材への付着力は、前記第２付着部の前記開閉部材への付着力よりも大きいことを特徴とする請求項１又は２に記載の開き止めテープ。
【請求項４】
前記第１付着部及び第２付着部の少なくとも一方は、前記支持体に粘着剤を塗布することにより形成した粘着剤層であることを特徴とする請求項１ないし請求項３のいずれかに記載の開き止めテープ。
【請求項５】
前記第１付着部及び第２付着部の少なくとも一方は、前記開口部材又は前記開閉部材側に取り付けられた固定側シートとこれと剥離可能に付着する自由側シートとからなる面ファスナーにより構成されていることを特徴とする請求項１ないし請求項３のいずれかに記載の開き止めテープ。
【請求項６】
前記第１付着部及び第２付着部の少なくとも一方は、前記開口部材又は前記開閉部材に磁力により吸着する着磁シートであることを特徴とする請求項１ないし請求項３のいずれかに記載の開き止めテープ。
【請求項７】
前記開口部材の内側面と前記第１付着部との間に介在させて用いるものであって、片面に前記第１付着部よりも前記開口部材の内側面に対する付着力が強い補助付着部を有し、他面を前記第１付着部が付着される被付着面とした下地シールと、
前記請求項１ないし請求項６のいずれかに記載の開き止めテープとを備えたことを特徴とする開き止めテープセット。
【発明の詳細な説明】
【技術分野】
【０００１】
本発明は、開き止めテープ及び開き止めテープセットに関する。
【背景技術】
【０００２】
従来、例えば、冷蔵庫の扉、タンスの引き出し等の開閉部材を閉状態でロックするためのロック具が知られている（例えば、特許文献１参照）。これは、例えば、幼児が引き出しを開けてしまうことを防止するためのものである。
このロック具１００は、例えば、図１５に示すように帯部１０３とその両端の定着部１０５Ａ，１０５Ｂとからなり、一の定着部１０５Ａがタンス本体１１１の外側面１１１Ａに、他の定着部１０５Ｂが引き出し１１３の表面１１３Ａに取り付けられることで、引き出し１１３が開かないように規制するものである。そして、片方の定着部１０５Ａは、帯部１０３と着脱可能に構成されており、大人が引き出し１１３を開けるときには、図１６に示すように、定着部１０５Ａから帯部１０３を外すのである。
【特許文献１】実用新案登録第２５３１７０４号公報（第１５図）
【発明の開示】
【発明が解決しようとする課題】
【０００３】
しかしながら、このものは、一の定着部１０５Ａがタンス本体１１１の外側面１１１Ａに、取り付けられるものであるため、引き出し１１３が横に３つ以上のタンス１１０では、外側面１１１Ａ側に位置しない中央側の引き出し１１３には適用できないという問題点があった（図１参照）。
本発明は上記のような事情に基づいて完成されたものであって、幅広い開閉構造体に適用可能な開き止めテープ及び開き止めテープセットを提供することを目的とする。
【課題を解決するための手段】
【０００４】
上記の目的を達成するための手段として、請求項１の発明は、開口を有する開口部材に、前記開口を開閉する開閉部材が閉められた閉状態で、前記開口部材及び開閉部材間に掛け渡されて両端部が前記両部材に付着することにより前記開閉部材の前記開口部材に対する開きを防止する開き止めテープであって、可撓性を有する帯状の支持体と、前記支持体の一方の面の一端部付近に設けられた第１付着部と、前記支持体の他方の面の他端部付近に設けられた第２付着部と、を備え、前記開口の内側面に、前記第１付着部が付着し、かつ前記開閉部材の表面に、前記第２付着部が剥離可能に付着されるところに特徴を有する。
【０００５】
請求項２の発明は、請求項１に記載の開き止めテープであって、前記第１付着部は、前記開口の内側面に、前記開閉部材の変位方向にほぼ沿う姿勢で付着されるところに特徴を有する。
【０００６】
請求項３の発明は、請求項１又は請求項２に記載の開き止めテープであって、前記第１付着部の前記開口部材への付着力は、前記第２付着部の前記開閉部材への付着力よりも大きいところに特徴を有する。
【０００７】
請求項４の発明は、請求項１ないし請求項３のいずれかに記載の開き止めテープであって、前記第１付着部及び第２付着部の少なくとも一方は、前記支持体に粘着剤を塗布することにより形成した粘着剤層であるところに特徴を有する。
【０００８】
請求項５の発明は、請求項１ないし請求項３のいずれかに記載の開き止めテープであって、前記第１付着部及び第２付着部の少なくとも一方は、前記開口部材又は前記開閉部材側に取り付けられた固定側シートとこれと剥離可能に付着する自由側シートとからなる面ファスナーにより構成されているところに特徴を有する。
【０００９】
請求項６の発明は、請求項１ないし請求項３のいずれかに記載の開き止めテープであって、前記第１付着部及び第２付着部の少なくとも一方は、前記開口部材又は前記開閉部材に磁力により吸着する着磁シートであるところに特徴を有する。
【００１０】
請求項７の発明は、前記開口部材の内側面と前記第１付着部との間に介在させて用いるものであって、片面に前記第１付着部よりも前記開口部材の内側面に対する付着力が強い補助付着部を有し、他面を前記第１付着部が付着される被付着面とした下地シールと、前記請求項１ないし請求項６のいずれかに記載の開き止めテープとを備えた開き止めテープセットである。
【発明の効果】
【００１１】
＜請求項１の発明＞
本請求項の構成の開き止めテープは、その一端部の第１付着部が開口部材の開口の内側面に付着され、かつ、他端部の第２付着部が開閉部材の表面に付着される構成である。このように両端部がそれぞれ付着されると、開口部材および開閉部材間は開き止めテープによって掛け渡された状態となるから、開閉部材の開きが防止される。開閉部材を開く場合には、開き止めテープの第２付着部を開閉部材の表面から引き剥がし、両者間の掛け渡し状態を解放すればよい。
【００１２】
また、この開き止めテープは、上述したように、一端部が開口の内側面に付着される構成である。従って、タンス本体等の外側部で付着する必要はないから、幅広い開閉構造体に適用することができる。例えば、横に引き出しが３以上並んでいるタンスであっても、すべての引き出しに適用することができる。
【００１３】
＜請求項２の発明＞
一般に、付着シールを被着物からはがす場合に、シールを被着面から垂直方向に引き剥がすことは容易であるが、被着面と水平方向（平行）に引き剥がすことは難しい。言い換えれば、引き剥がし方向に沿った姿勢で付着されている場合には、剥がれにくい。
本請求項の構成によれば、開き止めテープの第１付着部は、開閉部材の変位方向に沿うような姿勢にて開口内側面に付着されている。つまり、引き剥がし方向に沿うような姿勢で付着されているから、開口部材から剥がれにくい。
【００１４】
＜請求項３の発明＞
開口部材と開閉部材の表面状態が異なる場合、例えば、開口部材の表面が粗面とされ、開閉部材の表面が平滑面とされている場合がある。
この場合に、第１付着部及び第２付着部の付着力が同等であると、開き止めテープは粗面とされた開口部材側（第１付着部）で剥がれやすい。かといって、粗面に合わせて両方とも強付着力とすると、開き止めテープを開閉部材から剥離しにくくなる。
本請求項の構成によれば、第１付着部の開口部材への付着力が、第２付着部の開閉部材への付着力よりも大きいから、開き止めテープは剥離不要な開口部材側では剥がれにくく、かつ、剥離が必要な開閉部材側では剥離しやすくなる。
【００１５】
＜請求項４の発明＞
上記第１付着部又は第２付着部の具体的構成としては、本請求項に記載のように、例えば支持体に粘着剤を塗布することにより形成した粘着剤層とすることができる。粘着剤は一般的に使用されているものが使用可能であり、このような構成は製造コストを低く抑えることができる。
【００１６】
＜請求項５の発明＞
また、例えば開口部材の開口の内側面又は開閉部材の表面が粗面とされており、第１付着部又は第２付着部を上記のように粘着剤層によって形成しても、これらの面に対する第１付着部又は第２付着部の付着力が充分に得られない場合や、複数回の剥離、再付着の繰り返しにより第２付着部の付着力が低下し易いような場合がある。このような場合には、本請求項に記載のように、第１付着部又は第２付着部を、開口部材又は開閉部材側に取り付けられた固定側シートとこれと剥離可能に付着する自由側シートとからなる面ファスナーにより構成してもよい。
このような構成では、固定側シートを開口部材の開口の内側面又は開閉部材の表面にしっかりと固定することにより、この固定側シートと面ファスナーを介して付着される開き止めテープ（自由側シート）を所望の付着力で付着することができる。
【００１７】
＜請求項６の発明＞
さらに、例えば開口部材の内側面又は開閉部材の表面がスチール材等からなる場合には、第１付着部又は第２付着部を、磁力により吸着する着磁シートにより構成することができる。このような開き止めテープは、頻繁に使用しても、付着力が低下し難い。
【００１８】
＜請求項７の発明＞
また、開口部材の開口内側面が粗面とされており、第１付着部の付着力が充分に得られない場合には、本請求項記載のように、下地シールを使用することができる。本請求項の構成では、まず、下地シールの補助付着部を粗面である開口内側面に付着させ、次に下地シールの被付着面に対して開き止めシールを付着させる。本請求項の構成では、下地シールの補助付着部は、開き止めテープの第１付着部よりも開口内側面に対する付着力が強いから、開き止めテープを下地シールなしで直接付着させるよりも、強固に付着させることができる。
【発明を実施するための最良の形態】
【００１９】
＜実施形態１＞
本発明の第１実施形態を図１〜６を参照しつつ説明する。
本実施形態は、タンス１に使用する開き止めテープ１０について説明する。
この開き止めテープ１０が使用されるタンス１は、図１及び図５に示すように、前方を開口した複数の引き出し収納部３を有するタンス本体５（本発明の開口部材に相当）と、引き出し収納部３内に前後にスライド移動可能に収納される引き出し７（本発明の開閉部材に相当）とからなる。引き出し収納部３は、３段、３列の計９個形成されている。
【００２０】
引き出し７は、上方を開放した略箱形状で、引き出し収納部３に収納可能な大きさとされている。
引き出し７の前面壁７Ａ（本発明の表面に相当）は、引き出し７を引き出し収納部３に押し込んだ状態で、タンス本体５の前面と略面一となるようにされている。この状態は、前面壁７Ａによってタンス１の開口が閉じられた閉じ状態とされている。
【００２１】
開き止めテープ１０は、図２に示すように、概略長帯状（本実施形態では約２０ｃｍ×５ｃｍの矩形状）で、支持体１３と、この支持体１３の片面に形成された第１粘着剤層１５と、第１粘着剤層１５に剥離可能に重ねられた第１剥離シート１７と、支持体１３の他面に形成された第２粘着剤層１９と、第２粘着剤層１９に剥離可能に重ねられた第２剥離シート２１とからなる。
【００２２】
支持体１３は、例えば、ウレタン、ＰＥＴ等の樹脂や紙製のシートであり、可撓性を有する帯状体である。第１粘着剤層１５及び第２粘着剤層１９は、一般的な粘着剤からなり、タンス本体５及び引き出し７の前面壁７Ａに付着可能で、かつ、一度剥離しても再付着可能とされている。第１剥離シート１７及び第２剥離シート２１は、ＰＥＴ等の樹脂や紙製のシートとされている。なお、第１粘着剤層１５の付着力と、第２粘着剤層１９の付着力は、同一としても、異ならせてもよい。両者１５，１９の付着力を異ならせる場合には、第１粘着剤層１５を第２粘着剤層１９よりも強付着力として、通常粗面とされる引き出し収納部３側での剥がれを防止できる。
【００２３】
第１剥離シート１７には、その右端部から所定距離（数ミリ）離れた位置に、支持体１３の長手方向と交わる方向に延びる直線状の第１切れ目１７Ａが形成されている。第１剥離シート１７には、さらに、第１切れ目１７Ａよりも所定距離左側であって、かつ、開き止めテープ１０の中央よりも右側の位置に第１切れ目１７Ａと略平行な直線状の第２切れ目１７Ｂが形成されている。第１切れ目１７Ａから第１剥離シート１７を剥離すると図４（Ａ）に示すように、第１切れ目１７Ａと第２切れ目１７Ｂとによって区切られた領域の第１剥離シート１７が剥がされて、第１粘着剤層１５が、右端付近で露出するようにされている（この右端付近で露出した第１粘着剤層１５を、以下、第１付着部１５Ａという）。
【００２４】
第２剥離シート２１には、その左端部から所定距離（数ミリ）離れた位置に、支持体１３の長手方向と交わる方向に延びる直線状の第３切れ目２１Ａが形成されている。第２剥離シート２１には、さらに、第３切れ目２１Ａよりも所定距離右側であって、かつ支持体１３の中央よりも左側の位置に、第３切れ目２１Ａと略平行な直線状の第４切れ目２１Ｂが形成されている。第３切れ目２１Ａから第２剥離シート２１を剥離すると図４（Ｂ）に示すように、第３切れ目２１Ａと第４切れ目２１Ｂとによって区切られた領域の第２剥離シート２１が剥がされて、第２粘着剤層１９が、左端付近で露出するようにされている（この左端付近で露出した第２粘着剤層１９を、以下、第２付着部１９Ａという）。
【００２５】
さて、次に、本実施形態の開き止めテープ１０の使用方法について説明する。まず、引き出し７をタンス本体５から引き抜き、開き止めテープ１０の第１付着部１５Ａを引き出し収納部３の内側面３Ａ（本発明の開口の内側面に相当）に付着させる（図５（Ａ）、図６（Ａ）参照）。
次に、図５（Ｂ）及び図６（Ｂ）に示すように、引き出し収納部３に引き出し７を入れる。そして、この閉状態で、開き止めテープ１０を引き出し７の前面壁７Ａ側に屈曲させ、第２付着部１９Ａにより前面壁７Ａの表面に貼り付ける。
【００２６】
このようにして、開き止めテープ１０は、引き出し収納部３の内側面３Ａに第１付着部１５Ａにより付着され、かつ、引き出し７の前面壁７Ａの表面に第２付着部１９Ａにより付着される。よって、開き止めテープ１０が付着された状態で、幼児等が引き出し７を開けようとしても、開き止めテープ１０は、タンス本体５と引き出し７の両者に付着されているから、引き出し７の開きが防止される。
【００２７】
そして、大人等が引き出し７を開く場合には、開き止めテープ１０の第２付着部１９Ａは剥離可能に付着されているから、開き止めテープ１０を引き出し７から剥がせばよい。
また、この開き止めテープ１０は、タンス本体５の引き出し収納部３の内側面３Ａに付着される構成である。従って、タンス本体５の外側部で付着させる必要はないから、図１に示すように横に引き出し７が３以上並んでいるタンス１であっても、すべての引き出し７に適用することができる。
【００２８】
さらに、本実施形態では、以下の効果を有する。
一般に、付着シールを被着物からはがす場合に、付着シールを被着面から垂直方向に引き剥がすことは容易であるが、被着面と水平方向（平行）に引き剥がすことは難しい。言い換えれば、引き剥がし方向に沿った姿勢で付着されている場合には、剥がれにくい。
本実施形態の構成によれば、開き止めテープ１０は、引き出し７の変位方向に沿うような姿勢（図６の上下方向の姿勢）にて引き出し収納部３の内側面３Ａに付着されている。この状態で、引き出し７を開けようとすると、第１付着部１５Ａは、図６（Ｂ）の下方向に力を受けるが、この力の向きとほぼ同方向に向いた姿勢で付着されているから剥がれにくい。
【００２９】
また、本実施形態の開き止めテープ１０は、従来の樹脂成型品からなるロック具（図１３参照）と異なり、構造が単純であるから、コストを下げることができる。
また、本実施形態の開き止めテープ１０は、従来の樹脂成型品からなるロック具と異なり、フィルム状で薄いため目立たない。よって、幼児等が興味を持ちにくく、悪戯されにくい。
また、本実施形態の開き止めテープ１０は、可撓性をもち、前面壁７Ａの形状に適合するように曲げることができるから、例えば、引き出し７の前面壁７Ａが丸みを帯びていても使用することができる。
【００３０】
＜第２実施形態＞
次に本発明の第２実施形態について図７〜図８を参照しつつ説明する。なお、第１実施形態と同じ構成については、同一の符号を付し、構造、作用及び効果の説明は省略する。
ところで、開口部材の開口内側面は、粗面とされている場合がある。例えば、タンス１の場合では、タンス本体５の引き出し収納部３の内側面３Ａは粗面とされている。
本実施形態は、このような場合に用いられるもので、第１実施形態の開き止めテープ１０の他に、下地シール３０が組み合わされた開き止めテープセットである。
【００３１】
下地シール３０は、図７に示すように、矩形状の支持体３１と、この支持体３１の片面に形成された接着剤層３３と、接着剤層３３に剥離可能に重ねられた剥離シート３５とからなる。支持体３１の接着剤層３３と反対側の面は、開き止めテープ１０の第１付着部１５Ａに付着される平滑な被付着面３１Ａとされている。接着剤層３３の接着力は、開き止めテープ１０の第１粘着剤層１５の付着力よりも強いものとされている。
【００３２】
さて、本実施形態の構成では、まず、下地シール３０の剥離シート３５を剥がして露出した接着剤層３３を引き出し収納部３の内側面３Ａに貼り付ける。接着剤層３３は、開き止めテープ１０の第１付着部１５Ａよりも付着力が強いから、下地シール３０は開き止めテープ１０よりも粗面に対して強く付着される。そして、下地シール３０の支持体３１の上から開き止めテープ１０を貼り付ける。このようにすると、開き止めテープ１０は下地シール３０を介して引き出し収納部３の内側面３Ａに貼り付けられ、下地シール３０無しで直接、貼り付けるよりも強固に付着される。
【００３３】
＜実施形態３＞
次に本発明の第３実施形態について図９を参照しつつ説明する。なお、第１実施形態と同じ構成については、同一の符号を付し、構造、作用及び効果の説明は省略する。
【００３４】
第３実施形態では、開き止めテープ１０は、２枚の片面シールが、部分的に重なるように接着されたものである点が第１実施形態と異なる。
開き止めテープ１０は、詳細には、図９に示すように、片面に第１粘着剤層１５を備えた第１シール４１と、片面に第２粘着剤層１９を備えた第２シール４３とが、第１粘着剤層１５と第２粘着剤層１９とを所定範囲で部分的に重ねるようにして接着されてなる。さらに、このようにして接着された状態で、露出した第１粘着剤層１５及び第２粘着剤層１９の部分には、第１剥離シート１７、第２剥離シート２１がそれぞれ剥離可能に重ねられている。
【００３５】
＜実施形態４＞
次に本発明の第４実施形態について図１０を参照しつつ説明する。なお、第３実施形態と同じ構成については、同一の符号を付し、構造、作用及び効果の説明は省略する。
第４実施形態では、第１剥離シート１７が、露出する第１粘着剤層１５の部分のみならず、第１シール４１と第２シール４３の重なり部分まで延設されている。同様にして第２剥離シート２１は、露出する第２粘着剤層１９の部分のみならず、第１シール４１と第２シール４３の重なり部分まで延設されている。
本実施形態によれば、第１剥離シート１７・第２剥離シート２１のうち延設された部分１７Ｄ，２１Ｄは、第１粘着剤層１５・第２粘着剤層１９に面していないから、この部分から第１剥離シート１７・第２剥離シート２１を剥がし易くなる。
【００３６】
＜実施形態５＞
次に本発明の第５実施形態について図１１を参照しつつ説明する。なお、第１実施形態と同じ構成については、同一の符号を付し、構造、作用及び効果の説明は省略する。  本実施形態では、開き止めテープ１０を開き戸を備えたタンス１に適用した例である。
この開き止めテープ１０が使用されるタンス５０は、図１１に示すように、前方に開口部５１Ａを有するタンス本体５１（本発明の開口部材に相当）と、開口部５１Ａに縦軸回りに回動して開閉する２枚の扉５３が装着されている。
次に、本実施形態における開き止めテープ１０の使用方法について説明する。まず、扉５３を開けて、開き止めテープ１０の第１付着部１５Ａを開口部５１Ａの内側面に付着する（図１１参照）。
次に、図１２に示すように、扉５３を閉める。そして、この閉状態で、開き止めテープ１０を扉５３の表側に屈曲させ、第２付着部１９Ａにより扉５３の表面に貼り付ける。
【００３７】
＜実施形態６＞
次に本発明の第６実施形態について図１３を参照しつつ説明する。なお、第１実施形態と同じ構成については、同一の符号を付し、構造、作用及び効果の説明は省略する。
開口部材や開閉部材がスチール材からなる場合がある。本実施実施形態は、そのような場合に使用可能なもので、第１付着部１５Ａおよび第２付着部１９Ａが磁力により吸着可能な着磁シート６０，６１から構成されている。本実施形態では、図１３に示すように、支持体１３上に第１付着部１５Ａおよび第２付着部１９Ａを構成する着磁シート６０，６１が接着剤によって貼り付けられている。なお、第１実施形態のものとは異なり、剥離シートは設けられていない。
【００３８】
＜実施形態７＞
次に本発明の第７実施形態について図１４を参照しつつ説明する。なお、第１実施形態と同じ構成については、同一の符号を付し、構造、作用及び効果の説明は省略する。
例えば開口部材の開口内側面又は開閉部材の表面が粗面とされており、上記実施形態の開き止めテープではこれらの面に対する付着力が充分に得られなかったり、剥離、再付着を繰り返すうちに付着力が著しく低下する場合がある。
本実施実施形態は、このような場合に適するもので、第２付着部１９Ａを、引き出し７の前面壁７Ａに固定した固定側シートと、これと剥離可能に付着する自由側シートとからなる面ファスナーにより構成したものである。
【００３９】
具体的には、図１４に示すように、開き止めテープ１０は支持体１３と、この支持体１３の片面に形成された第１粘着剤層１５と、第１粘着剤層１５に剥離可能に重ねられた剥離シート１７と、支持体１３の他面の一端部付近に形成された雄（フック状）面ファスナー７５（第２付着部１９Ａ）と、この雄面ファスナー７５に対して剥離可能に付着する雌（ループ状の）面ファスナー７１とからなる。また、雌面ファスナー７１の裏面には接着材層７２および剥離シート７３が重ねられている。さらに、開き止めテープ１０の剥離シート１７には、上記第１実施形態と同様に、第１切れ目１７Ａ及び第２切れ目１７Ｂが形成されている。
【００４０】
本実施形態の構成では、まず、開き止めテープ１０の雄面ファスナー７５と雌面ファスナー７１とを付着させて一体化した状態で、開き止めテープ１０の剥離シート１７の一部を引き剥がして露出させた第１付着部１５Ａを引き出し収容部３の内側面３Ａに付着させる。そして、引き出し７を収納し、その閉状態で、シート７０の剥離シート７３を引き剥がして露出させた接着材層７２を引き出し７の前面壁７Ａに貼り付ける。
引き出し７を開けたい場合には、開き止めテープ１０の端部をつまんで手前に引っ張れば、雄雌面ファスナー７５，７１の付着状態が解除され、引き出し７を開けることが可能となる。
【００４１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、開き止めテープ１０をタンス１，５０に適用したが、冷蔵庫や、テレビラック等、開閉構造をもつ構造体に幅広く適用することができる。また、開き止めテープ１０は、幼児の悪戯防止のために用いるのみならず、幅広い用途に用いることができる。例えば、食器ダンスの扉に適用することで、地震の際に扉が開いて食器が散乱することを防止することができる。
（２）上記実施形態では、特定形状・サイズの開き止めテープ１０を説明したが、形状、サイズは、特に限定されないことはもちろんである。
（３）上記第２実施形態では、下地シール３０は、第１付着部１５Ａに付着される被付着面３１Ａには、粘着剤層が形成されていないが、被付着面３１Ａに粘着剤層を形成した両面シールであってもよい。
（４）上記第６実施形態では、着磁シートを開き止めテープの両端部に設ける構成としたが、着磁シートは片側だけに設け、他の片側は粘着剤層等の他の付着層としてもよい。また、第７実施形態では、面ファスナーを開き止めテープの片側端部だけに設けたが、両端部に設ける構成としてもよい。
（５）上記第７実施形態では、面ファスナーをフック状面ファスナーおよびループ状面ファスナーにより構成したが、これらの面ファスナーに限らず、他のタイプの面ファスナーを使用してもよい。もちろん、面ファスナーを構成する一対の雄面ファスナー及び雌面ファスナーのいずれを支持体１３側に接着する構成としてもよい。
（６）なお、上記実施形態で、支持体１３を透明とすることができる。このようにすると、開口部材及び開閉部材に貼り付けられても、下地が透けて見えるから目立たなくなる。よって、家具等の外観を損なわないという効果を有する。
また、支持体１３に木目模様を施してもよい。このようにすると、木目模様が施されている家具等に用いた場合に、家具等の外観を損なわない。
【図面の簡単な説明】
【００４２】
【図１】第１実施形態の開き止めテープが適用されるタンスの斜視図  （（Ａ）：引き出しを開けた状態、（Ｂ）引き出しを閉めた状態）
【図２】開き止めテープの断面図
【図３】開き止めテープの表面図
【図４】剥離シートを剥がした状態の開き止めテープ  （（Ａ）：表面図、（Ｂ）裏面図）
【図５】開き止めテープの使用方法を説明する斜視図
【図６】開き止めテープの使用方法を説明する断面図
【図７】第２実施形態の下地シールの断面図
【図８】開き止めテープの使用方法を説明する断面図
【図９】第３実施形態の開き止めテープの断面図
【図１０】第４実施形態の開き止めテープの断面図
【図１１】第５実施形態の開き止めテープの使用方法を説明する斜視図
【図１２】開き止めテープの使用方法を説明する斜視図
【図１３】第６実施形態の開き止めテープの断面図
【図１４】第７実施形態の開き止めテープセットの断面図
【図１５】従来のロック具の斜視図
【図１６】同じくロック具の斜視図
【符号の説明】
【００４３】
１…タンス
３…引き出しの収納部
３Ａ…内側面
５…タンス本体（開口部材）
７…引き出し
７Ａ…前面壁（開閉部材）
１０…開き止めテープ
１３…支持体
１５…第１粘着剤層
１５Ａ…第１付着部
１７…第１剥離シート
１７Ａ…第１切れ目
１７Ｂ…第２切れ目
１９…第２粘着剤層
１９Ａ…第２付着部
２１…第２剥離シート
２１Ａ…第３切れ目
２１Ｂ…第４切れ目
【図１】
2005315064.tif 000003
【図２】
2005315064.tif 000004
【図３】
2005315064.tif 000005
【図４】
2005315064.tif 000006
【図５】
2005315064.tif 000007
【図６】
2005315064.tif 000008
【図７】
2005315064.tif 000009
【図８】
2005315064.tif 000010
【図９】
2005315064.tif 000011
【図１０】
2005315064.tif 000012
【図１１】
2005315064.tif 000013
【図１２】
2005315064.tif 000014
【図１３】
2005315064.tif 000015
【図１４】
2005315064.tif 000016
【図１５】
2005315064.tif 000017
【図１６】
2005315064.tif 000018